(57)【要約】【課題】ノート型パソコンの運送用梱包具を提供する。【解決手段】ベースボード１と抑えシート２とを有している。ベースボード１は、物品Ｍを定位置に支えるものであり、上面に物品Ｍを搭載する搭載面４と、上向きに折曲して外箱３の下面に支えられる立上り部分５と、直面形成部分７と、水平面形成部分８とからなる立下がり部分６とを有している。垂直面形成部分７と水平面形成部分は、搭載面４の下方にコ型に折り曲げられて緩衝空間を形成して外箱３の内底面に支持される。抑えシート２は、ベースシート１の搭載面４をまたがって、立下り部分６の水平面形成部分８に固定され、立下り部分６の折り曲げにより引っ張られる結果、緊張して物品Ｍを搭載面４上に定着させる。【選択図】  図１
2004276957.tif 000002
【特許請求の範囲】
【請求項１】
ベースボードと抑えシートとを有する物品輸送用梱包具であって、
ベースボードは、物品を定位置に支えるものであり、搭載面と、立上り部分と、立下がり部分とを有し、
搭載面は上面に物品を搭載する面であり、
立上り部分は、搭載面の両端縁の延長上に形成され、上向きに折曲されてその上縁は外箱の下面に支えられる部分であり、
立下り部分は、搭載面の両側縁に付設された分であり、垂直面形成部分と、水平面形成部分とからなり、
垂直面形成部分は、搭載面の両側縁から下向きに垂直姿勢に折曲する部分であり、水平面形成部分は、垂直面形成部分の外側縁から内側に水平姿勢に折り返す部分であり、外箱の内底面に支持され、
抑えシートは、ベースシートの搭載面をまたがって、立下り部分の水平面形成部分に固定され、立下り部分の折り曲げにより垂直面形成部分と、水平面形成部分の表面に沿って引っ張られる結果、緊張して物品を搭載面上に定着させるものであることを特徴とする物品輸送用梱包具。
【請求項２】
搭載面と、立上り部分と、立下がり部分とは、１枚のベースシートを折り曲げ線によって区画された部分であり、
搭載面は矩形、又は正方形であり、
立上り部分は、搭載面の両端縁に形成された折り曲げ線の先の矩形の部分であり、
立下り部分は、搭載面の両側縁の延長上に形成された折り曲げ線の先の部分であり、
立下り部分の両側基部間をつなぐ直線の内外に、内側の折り曲げ線と、外側の折り曲げ線とによる２本の折り曲げ線が平行に付され、２本の折り曲げ線は、立下り部分の両側基部に収斂するものであり、
内側の折り曲げ線と、外側の折り曲げ線とによって区画される部分が垂直面形成部分であり、
外側の折り曲げ線と、立下り部分の外縁間とによって形成される部分が水平面形成部分であることを特徴とする請求項１に記載の物品輸送用梱包具。
【請求項３】
立下り部分を折り返したときに垂直形成部分の両端に形成される三角形分が外方に張り出し、
外方に張り出した部分は、抑えシートを対角線方向に引っ張って、搭載面上の物品の角を定着させるに必要な緊張力を付与する部分であることを特徴とする請求項２に記載の物品輸送用梱包具。
【請求項４】
搭載面には、両立下り部分にかけて立上り部分を形成する折り曲げ線と平行に補助折り曲げ線が付され、
立下り部分を折り返したときに、搭載面と水平面形成部分間には緩衝用空間が形成され、
水平面形成部分の両縁部分は抑えシートの緊張力をうけ、補助折り曲げ線で上方に折り曲げられて水平面形成部分の支えになるものであることを特徴とする請求項２に記載の物品輸送用梱包具。
【請求項５】
立下り部分の垂直面形成部分と、水平面形成部分とは断面コ型に折り曲げられて搭載面の下方に緩衝用空間を形成するものであることを特徴とする請求項１または４に記載の物品輸送用梱包具。
【請求項６】
搭載面の両側面には窪みが形成され、
窪みは、立下り部分をつかんで梱包具を外箱内に差し込むときに、外箱と梱包具間に隙間を形成する部分であることを特徴とする請求項３に記載の物品輸送用梱包具。
【発明の詳細な説明】
【０００１】
【発明の属する技術分野】
本発明は物品、特に、ノート型パソコンを梱包して宅配便として輸送する場合に好適な物品運送用梱包具に関する。
【０００２】
【従来の技術】
ノート型パソコンの普及にともない、ノート型パソコンの運送の必要性が飛躍的に増大している。最近では、ユーザからのノート型パソコンの修理、メモリ増設などの要求に対し、メーカの補修センターへの直接の持ち込みではなく、郵便或いは宅配便でのみ受付けるケースが見られる。
【０００３】
この様なケースでは、ユーザからメーカーへ発送されたノート型パソコンを修理、保守、補修した後、そのノート型パソコンをメーカからユーザに返送するときにも郵便或いは宅配便にて返送される。郵便或いは宅配便にてノート型パソコンを運送するにあたって、その梱包には、衝撃からノート型パソコンが充分に保護されるような対策が必要である。
【０００４】
ノート型パソコンの輸送に際し、メーカ側からユーザに輸送するに際しては、その梱包に充分な保護対策を講じ、あるいは、梱包の包装体を一定の品質に規格化することはもとより可能であるが、ユーザにとっては、梱包材料の用意が無く、専用のノート型パソコン運送用梱包具が提供されない限り、梱包に充分な保護対策を講ずることは必ずしも容易ではない。
【０００５】
そこでこのような要求に応ずるため、物品、特にノート型パソコンの運送に際して、安定に保持して外部から作用する衝撃から有効に保護し得る物品運送用梱包具を開発した（特許文献１参照）。
【０００６】
【特許文献１】特開２００１−１３０６４０
【０００７】
特許文献１に記載された物品運送用梱包具は、図７（ｆ）のように個装体２１と内装体２２との組合せを有する物品運送用梱包具であって、個装体２１は、一枚のボードを折り曲げ、その折返し縁をもって、運送すべき物品Ｍの表面を覆い、これを定形に保形するものであり、内装体２２は、個装体２１を保持して外箱２３内に収容されるものである。図６において、内装体２２は、ベースボード２６と、抑えシート２７とを有している。ベースボード２６は、物品Ｍを保形する個装体２１を定位置に支えるものであり、立上り部分３２と立ち下り部分３１とを有し、立上り部分３２は、ベースボード２６の両側縁から上向きに、立下り部分３１は、ベースボード２６の両側縁から下向きにそれぞれ折り返され、立上り部分３２の上端は外箱２３の上底面、立下り部分３１の下端は、下底面にそれぞれ支持され、ベースボード２６を外箱２３の上下面から間隔をおいて保持させるものであり、抑えシート２７は、両端がベースボード２６の側縁に固定され、ベースボード２６上の個装体２１の表面を覆い、立下り部分３１の折り曲げにより、緊張して個装体２１をベースボード２６に押付けて定着させるものである。
【０００８】
上記物品運送用梱包具によれば、ノート型パソコンその他の物品Ｍを個装体２１で包み、個装体２１は、抑えシート２７でベースボード２６上に押付けて内装体２２に定着させ、さらに内装体２２の立上り部分３２と、立下り部分３１で支えて外箱２３内に収納することにより、輸送中に加えられるかもしれない衝撃から有効に保護できる効果を有する。
【０００９】
【発明が解決しようとする課題】
しかしながら、特許文献１に記載の運送用梱包具を使用してみると、実際の取り扱いの上で幾つかの問題があることがわかった。例えば、物品の梱包作業に際しては、図６（ａ）のようにベースボード２６を平面に展開した状態で、図６（ｂ）に示すように、まず、両立下り部分３１，３１を最初やや上向きに折り返してベースボード２６と、抑えシート２７との間を開き、図６（ｃ）のように、ベースボード２６と、抑えシート２７との間に物品Ｍを格納した個装体２１を差し込み、これをベースボードの中央に置く。
【００１０】
ついで、図７（ｄ）において、両立下り部分３１，３１を、ベースボード２６の側縁から下向きに折り返し、これをさらに９０゜以上の角度に折り曲げてベースボード２６の下面に折り重ねる。
【００１１】
これによって、抑えシート２７は、立下り部分３１に引っ張られて緊張し、個装体２１をベースボード２６上に圧着させると共に、個装体２１の張出し部分を押付け、これを下向きに屈曲させ、その屈曲部分で物品Ｍの側縁を押付けてノート型パソコンの横ずれを阻止し、これを定位置に保持させる。
【００１２】
立上り部分３２は、図７（ｅ）のようにベースボード２６の両側から上向きに折り返し、さらに、立ち下り部分３１の両端に付設された押さえ部分３６をその両端外面にあてがって図７（ｆ）のようにそのまま外箱２３内に入れ、外箱２３を施蓋して梱包が完了する。
【００１３】
ところで、梱包された物品Ｍの横ずれの防止は、専ら両立下り部分３１の折り曲げによる抑えシート２７の緊張によるものであるが、抑えシート２７の緊張による抑止力を上回る力が物品Ｍに加わったとき、或いは、梱包体が加振され、立下り部分３１に引っ張られて緊張している抑えシート２７の緊張部分に物品Ｍからの衝撃が加えられると、抑えシート２７が伸びて外箱２３内の個装体２１に横ずれが生ずるのは避けられない。特許文献１に記載の発明において、個装体２１を用いて物品Ｍを保形するのは、物品Ｍの横ずれを可能な限り阻止するためである。
【００１４】
また、特許文献１に記載された物品運送用梱包具の今ひとつの問題は、作業性の問題である。物品Ｍをベースボード２６と、抑えシート２７との間に個装体２１を差し込んだ後、両立下り部分３１を両手で持ってこれを下向きに折り曲げ、これを一旦卓上に置き、次いで、立上り部分３２を起立させ、両立上り部分３２を両手で持ち上げてこれを外箱３内に上方から押し込む操作が必要となる。この結果、作業者は、内装体を外箱に格納するには、手を両立下り部分から立上り部分に手を持ち替えるなど５つのアクションを行わなければならない。さらにいえば、図６（ａ）のように単に展開されたベースボード２６と抑えシート２７の組合せを見ただけでは、これをどのように扱えばよいのか分からない、という指摘も聞かれた。
【００１５】
本発明の目的は、物品、特にノート型パソコンの運送に際して、安定に保持して外部から作用する衝撃から有効に保護するだけでなく、個装体を用いずに安定に保持し、しかも、取り扱いが容易な物品運送用梱包具を提供することにある。
【００１６】
【課題を解決するための手段】
上記目的を達成するため、本発明による物品輸送用梱包具においては、ベースボードと抑えシートとを有する物品輸送用梱包具であって、
ベースボードは、物品を定位置に支えるものであり、搭載面と、立上り部分と、立下がり部分とを有し、
搭載面は上面に物品を搭載する面であり、
立上り部分は、搭載面の両端縁の延長上に形成され、上向きに折曲されてその上縁は外箱の下面に支えられる部分であり、
立下り部分は、搭載面の両側縁に付設された分であり、垂直面形成部分と、水平面形成部分とからなり、
垂直面形成部分は、搭載面の両側縁から下向きに垂直姿勢に折曲する部分であり、水平面形成部分は、垂直面形成部分の外側縁から内側に水平姿勢に折り返す部分であり、外箱の内底面に支持され、
抑えシートは、ベースシートの搭載面をまたがって、立下り部分の水平面形成部分に固定され、立下り部分の折り曲げにより垂直面形成部分と、水平面形成部分の表面に沿って引っ張られる結果、緊張して物品を搭載面上に定着させるものである。
【００１７】
また、搭載面と、立上り部分と、立下がり部分とは、１枚のベースシートを折り曲げ線によって区画された部分であり、
搭載面は矩形、又は正方形であり、
立上り部分は、搭載面の両端縁に形成された折り曲げ線の先の矩形の部分であり、
立下り部分は、搭載面の両側縁の延長上に形成された折り曲げ線の先の部分であり、
立下り部分の両側基部間をつなぐ直線の内外に、内側の折り曲げ線と、外側の折り曲げ線とによる２本の折り曲げ線が平行に付され、２本の折り曲げ線は、立下り部分の両側基部に収斂するものであり、
内側の折り曲げ線と、外側の折り曲げ線とによって区画される部分が垂直面形成部分であり、
外側の折り曲げ線と、立下り部分の外縁間とによって形成される部分が水平面形成部分である。
【００１８】
また、立下り部分を折り返したときに垂直形成部分の両端に形成される三角形分が外方に張り出し、
外方に張り出した部分は、抑えシートを対角線方向に引っ張って、搭載面上の物品の角を定着させるに必要な緊張力を付与する部分である。
【００１９】
また、搭載面には、両立下り部分にかけて立上り部分を形成する折り曲げ線と平行に補助折り曲げ線が付され、
立下り部分を折り返したときに、搭載面と水平面形成部分間には緩衝用空間が形成され、
水平面形成部分の両縁部分は抑えシートの緊張力をうけ、補助折り曲げ線で上方に折り曲げられて水平面形成部分の支えになるものである。
【００２０】
また、立下り部分の垂直面形成部分と、水平面形成部分とは断面コ型に折り曲げられて搭載面の下方に緩衝用空間を形成するものである。
【００２１】
また、搭載面の両側面には窪みが形成され、
窪みは、立下り部分をつかんで梱包具を外箱内に差し込むときに、外箱と梱包具間に隙間を形成するものである。
【００２２】
【発明の実施の形態】
以下に本発明の実施の形態を図によって説明する。図１において、本発明による物品輸送用梱包具１３においては、ベースボード１と抑えシート２との組合せからなり、ベースボード１上に搭載した物品Ｍを抑えシート２で定位置に固定して外箱３内に梱包するものである。本発明において、梱包する物品Ｍは、例えばノート型パソコンであり、ベースボード１には例えば段ボール紙を用い、抑えシート２には、ある程度の引っ張り強度と、伸縮性を有するプラスチックシートを用いる。抑えシート２には、物品の保持状態を外部から観測が可能な透明シートを用いるのが望ましい。
【００２３】
図２にベースボード１の平面形状を示す。図２（ａ）は、平面図、図２（ｂ）は、（ａ）のｂ−ｂ線断面図である。図２において、ベースボード１は、物品Ｍを保持するものであり、搭載面４と、立上り部分５と、立下がり部分６とを有している。搭載面４は上面に物品Ｍを搭載する面であり、梱包すべき物品Ｍがノート型パソコンの場合には、ノート型パソコンの平面形状より一回り大きな面積が必要である。立上り部分５は、図上搭載面４の両端縁の延長上に形成され、後に上向きに折曲されてその上縁は外箱３の上底面の下面に支えられる部分である。
【００２４】
また、立下り部分６は、搭載面４の両側縁に付設された部分であり、垂直面形成部分７と、水平面形成部分８とからなっている。垂直面形成部分７は、後に搭載面４から下向きに垂直姿勢に折曲する部分であり、水平面形成部分８は、垂直面形成部分７から内側に水平姿勢に折り返す部分である。折り返された水平面形成部分８は、外箱３の内底面に支持される。
【００２５】
抑えシート２は、立下り部分６とほぼ同じ幅で、ベースシート１の搭載面４をまたがり、立下り部分６の両水平面形成部分８，８からさらに裏側に折り返してベースシート１の裏面に接着され、これによって両水平面形成部分８，８に固定される。
【００２６】
搭載面４と、立上り部分５と、立下がり部分６とは、１枚のベースシート１を折り曲げ線によって区画された部分である。搭載面４は正方形または矩形である。立上り部分５は、搭載面２の両端縁の延長上に形成された横長の矩形の部分であり、立下り部分６は、搭載面２の両側縁の延長上の縦長の矩形部分である。立上り部分５は、折り曲げ線Ｌ１によって搭載面２から区画される。
【００２７】
立下り部分６は、立下り部分６の両側基部間をつなぐ直線の内外に付された２本の折り曲げ線Ｌ２，Ｌ３によって区画形成されたものである。この実施形態においては、２本の折り曲げ線を内側の折り曲げ線Ｌ２と、外側の折り曲げ線Ｌ３として両者を区別する。２本の折り曲げ線Ｌ２，Ｌ３の両端は、立下り部分６の両側基部に収斂させている。したがって、平行に付された２本の折り曲げ線Ｌ２，Ｌ３の両端には三角形の部分が形成される。
【００２８】
このような立下り部分６における内側の折り曲げ線Ｌ２と、外側の折り曲げ線Ｌ３とによって区画される部分が垂直面形成部分７であり、外側の折り曲げ線Ｌ３と、立下り部分６の外縁間とによって形成される部分が水平面形成部分８である。
【００２９】
さらに、搭載面４から両立下り部分６，６にかけて立上り部分５を形成する折り曲げ線Ｌ１と平行に補助折り曲げ線Ｌ４が付されている。この補助折り曲げ線Ｌ４は、立下り部分６を搭載面４から折り返したときに、水平面形成部分の支え９を形成する部分である。
【００３０】
本発明による物品輸送用梱包具１３にノート型パソコンのような直方体の物品Ｍを梱包する場合には、図３（ａ）に示すように、ベースボード１を平面に展開した状態で、図３（ｂ）のようにベースボード１と、抑えシート２間に物品Ｍを差し込み、物品Ｍの各辺が搭載面４の各辺と平行になるよう位置決めをして搭載面４の中心に置く。
【００３１】
次に図３（ｃ）のように、両立下り部分６，６をまず内側折り返し線Ｌ２で下向きに垂直姿勢に折り曲げ、水平面形成部分８を外側折り返し線Ｌ３からさらに図４（ｄ）のように、内側に向けて水平姿勢に折り曲げる。水平面形成部分８の折り曲げによって、立下り部分７は、図４（ｅ）のように搭載面４に対して断面形状がコ型となり、搭載面４と水平面形成部分８間には緩衝用空間１０が形成され、垂直形成部分７の両端に形成される三角形の部分（張り出し部分１１）が外方に張り出し、図４（ｆ）のように搭載面４の両側面には窪み１２が形成される。
【００３２】
抑えシート２は、この張り出し部分１１によって対角線方向に引っ張られ、その緊張力によって、搭載面４上の物品Ｍの角は、定位置に安定に保持される。さらに、水平面形成部分８の両縁部分は、図４（ｇ）のように抑えシート２の緊張力をうけ、補助折り曲げ線Ｌ４で上方に折り曲げられて傾斜し、これが水平面形成部分８の支え９になり、内側に折り返された水平面形成部分７を安定に支持する。
【００３３】
ついで、図５に示すように立上り部分５を搭載面４の両側縁から上向きに折り返し、折り返された立下り部分６をつかんでそのまま外箱３内に入れて施蓋し、粘着テープで蓋を封止する。両立下り部分６を手に持って、そのまま梱包具１３を外箱３内に入れれば、立上り部分５は、外箱３の口縁に支えられて自ずから上向けに立ち上がって、外箱３内に収容される。本発明においては、搭載面４の両側面に形成される窪み１２，１２が形成されるため、これが外箱３と、梱包具１３との間の隙間となり、外箱内に入れるときに従来のように立上り部分に手を持ち替える必要が無く、折り返された立下り部分６をつかんでそのまま外箱３内に入れることができる。
【００３４】
外箱３内に収容された梱包具１３の立下り部分５の水平面形成部分８の外箱３の内底部に保持され、両立ち上がり部分５の上縁は、外箱３の上底部の下面に支えられて安定する。梱包された物品Ｍは、抑えシート２の強い緊張力を受けて搭載面の定位置に安定に保持される。
【００３５】
抑えシート２は、立下り部分６の折り曲げによる緊張に耐えられるだけの強度を有しておればよく、伸縮性を有することが必要ではあるが、必ずしもウレタンシートのように特に伸縮性に優れたシートを用いる必要はない。むしろ、伸縮性を有するがゆえに、梱包された物品Ｍが、輸送時の振動などの影響を受けたときにシートの伸縮性に抗して搭載面上を動揺することにもなりかねない。
【００３６】
また、ベースボード１には、図２に示すようにダンボール紙のフルートの方向をベースボード１の長手方向（両立下り部分５，５を結ぶ方向）に設定している。したがって、長手方向に直交する方向の折り曲げ強度が大きく、抑えシート２の緊張力に耐えて両立下り部分６の垂直面形成部分７と水平面形成部分８を無理なく折曲でき、立下り部分６の垂直面形成部分７と水平面形成部分８の折曲によって、立下り部分はリブとして作用し、緩衝作用とともにその強度が増大する。本発明の構造によれば、特許文献１に記載の構造に比べて強度の小さいダンボール紙を用いて梱包具を組み立てることができることがわかった。
【００３７】
本発明は、ノート型パソコンの運搬用梱包具として開発したものであるが、同様の形態の電子機器類、その他の物品の運送用梱包具にも適用できるのは言うまでもない。また、本発明は、特許文献１に記載のような個装体を用いずに物品を直接梱包できる構造を開発したのではあるが、勿論、小さな物品や不定形の物品を梱包する場合に、これを個装体に保形して梱包することも当然できる。
【００３８】
【発明の効果】
以上のように本発明によれば、特許文献１に記載された個装体を用いることなく、ノート型パソコンその他の物品を直接梱包して宅配便、や郵便として運送中に生じるであろう振動、衝撃から有効に物品を保護することができ、梱包の取り扱いが容易であり、梱包の作業性を改善できる効果を有する。
【図面の簡単な説明】
【図１】本発明による梱包具を外箱内に格納した状況を示す図である。
【図２】（ａ）は本発明による梱包具の平面展開図、（ｂ）は図２（ａ）のｂ−ｂ線断面図である。
【図３】（ａ）〜（ｃ）は梱包要領を順に示す図である。
【図４】（ｄ）は梱包要領を示す図、（ｅ）は、図４（ｄ）のｅ−ｅ線断面図、（ｆ）は、梱包具の要部を示す平面図、（ｇ）は、図４（ｄ）のｇ−ｇ線断面図である。
【図５】梱包要領を順に示す図である。
【図６】特許文献１に記載された梱包具の組立て手順を示す図である。
【図７】特許文献１に記載された梱包具の組立て手順を示す図である。
【符号の説明】
１  ベースボード
２  抑えシート
３  外箱
４  搭載面
５  立上り部分
６  立下り部分
７  垂直面形成部分
８  水平面形成部分
９  支え
１０  緩衝用空間
１１  張り出し部分
１２  窪み
１３  梱包具
Ｍ  物品
Ｌ１，Ｌ２，Ｌ３  折り曲げ線
Ｌ４  補助折り曲げ線
【図１】
2004276957.tif 000003
【図２】
2004276957.tif 000004
【図３】
2004276957.tif 000005
【図４】
2004276957.tif 000006
【図５】
2004276957.tif 000007
【図６】
2004276957.tif 000008
【図７】
2004276957.tif 000009